(57)【要約】      （修正有）【課題】使用者は片手の手のひらで携帯電話／タブレットＰＣを持って、その手の親指でタッチパネルを容易かつ安全に操作する。【解決手段】ケース本体１の底部３には、指止め輪４が設けられる。前記指止め輪４には、指を通すための複数の指孔５を有する。指止め輪４は、回転連結具を介してケース本体１の底部３に連結され、回転することができる。ケース本体１は、弾性材から製造される。指止め輪４は、ケース本体１の底部３自身の一部である。指止め輪４は、周辺の一部がケース本体１の底部３から分離され、周辺の別部分がケース本体１の底部３に連結される。回転連結具が指止め輪４とケース本体１の底部３との間の弾性連結部になる。【選択図】図１
2016163690.tif 000002
【特許請求の範囲】
【請求項１】
携帯電話／タブレットＰＣを収納するケース本体を含む、指止め輪付きの携帯電話／タブレットＰＣケースにおいて、
ケース本体の底部には、指止め輪が設けられ、
前記指止め輪には、指を通すための複数の指孔を有し、
指止め輪は、回転連結具を介してケース本体の底部に連結され、回転することができることを特徴とする、指止め輪付きの携帯電話／タブレットＰＣケース。
【請求項２】
請求項１に記載の指止め輪付きの携帯電話／タブレットＰＣケースにおいて、
前記ケース本体は、弾性材から製造され、
前記指止め輪は、ケース本体の底部自身の一部であり、
指止め輪は、周辺の一部がケース本体の底部から分離され、周辺の別部分がケース本体の底部に連結され、
回転連結具が指止め輪と底部との間の弾性連結部になることを特徴とする、指止め輪付きの携帯電話／タブレットＰＣケース。
【請求項３】
請求項１に記載の指止め輪付きの携帯電話／タブレットＰＣケースにおいて、
前記指止め輪には、指を通すための複数の指孔を有することを特徴とする、指止め輪付きの携帯電話／タブレットＰＣケース。
【請求項４】
請求項１に記載の指止め輪付きの携帯電話／タブレットＰＣケースにおいて、
前記指止め輪は、指を通すための複数の指孔に弾性弁を有することを特徴とする、指止め輪付きの携帯電話／タブレットＰＣケース。
【請求項５】
請求項３に記載の指止め輪付きの携帯電話／タブレットＰＣケースにおいて、
前記指止め輪は、長方形であり、３つの側辺がケース本体の底部から切り離され、別の１つの側辺が、ケース本体の底部に連結して、回転可能になることを特徴とする、指止め輪付きの携帯電話／タブレットＰＣケース。
【請求項６】
請求項５に記載の指止め輪付きの携帯電話／タブレットＰＣケースにおいて、
前記指止め輪は、ケース本体の底部に２個あり、
２個の輪は、内側に回転すると閉になり、外側へ回転すると開になることを特徴とする、指止め輪付きの携帯電話／タブレットＰＣのケース。
【請求項７】
請求項５に記載の指止め輪付きの携帯電話／タブレットＰＣケースにおいて、
前記指止め輪は、ケース本体の底部に２個あり、
２個の輪は、内側に回転すると開になり、外側へ回転すると閉になることを特徴とする、指止め輪付きの携帯電話／タブレットＰＣのケース。
【請求項８】
請求項３に記載の指止め輪付きの携帯電話／タブレットＰＣケースにおいて、
前記指止め輪には、指を通すための複数の指孔を有し、
前記指孔は、平行する２列の指孔であることを特徴とする、指止め輪付きの携帯電話／タブレットＰＣケース。
【請求項９】
請求項１に記載の指止め輪付きの携帯電話／タブレットＰＣケースにおいて、
前記ケース本体は、剛性材から製造され、
前記回転連結具は、ヒンジであることを特徴とする、指止め輪付きの携帯電話／タブレットＰＣケース。
【請求項１０】
請求項９に記載の指止め輪付きの携帯電話／タブレットＰＣケースにおいて、
前記指止め輪には、指を通すための複数の指孔を有することを特徴とする、指止め輪付きの携帯電話／タブレットＰＣケース。
【請求項１１】
請求項９に記載の指止め輪付きの携帯電話／タブレットＰＣケースにおいて、
前記指止め輪は、長方形であることを特徴とする、指止め輪付きの携帯電話／タブレットＰＣケース。
【請求項１２】
請求項１１に記載の指止め輪付きの携帯電話／タブレットＰＣケースにおいて、
前記指止め輪は、ケース本体の底部に２個あり、
２個の輪は、内側に回転すると閉になり、外側へ回転すると開になることを特徴とする、指止め輪付きの携帯電話／タブレットＰＣケース。
【請求項１３】
請求項１１に記載の指止め輪付きの携帯電話／タブレットＰＣケースにおいて、
前記指止め輪は、ケース本体の底部に２個あり、
２個の輪は、内側に回転すると開になり、外側へ回転すると閉になることを特徴とする、指止め輪付きの携帯電話／タブレットＰＣケース。
【請求項１４】
請求項１に記載の指止め輪付きの携帯電話／タブレットＰＣケースにおいて、
前記指止め輪は、指を通すための複数の指孔が正方形、長方形、半円形又は円形であることを特徴とする、指止め輪付きの携帯電話／タブレットＰＣケース。
【請求項１５】
請求項１に記載の指止め輪付きの携帯電話／タブレットＰＣケースにおいて、
前記指止め輪は、指を通すための指孔が１個、２個、３個又は４個であることを特徴とする、指止め輪付きの携帯電話／タブレットＰＣケース。
【請求項１６】
請求項２に記載の指止め輪付きの携帯電話／タブレットＰＣケースにおいて、指止め輪の一端側が短いフレキシブル線で回転連結具の近くのケース本体の底部に連結され、指止め輪の開が制限されることを特徴とする、指止め輪付きの携帯電話／タブレットＰＣケース。
【請求項１７】
請求項１１に記載の指止め輪付きの携帯電話／タブレットＰＣケースにおいて、指止め輪の一端側が短いフレキシブル線でヒンジの近くのケース本体の底部に連結され、指止め輪の開が制限されることを特徴とする、指止め輪付きの携帯電話／タブレットＰＣケース。
【発明の詳細な説明】
【技術分野】
【０００１】
本発明は、指止め輪付きの携帯電話／タブレットＰＣケースであって、携帯電話又はタブレットＰＣの付属品である。
【背景技術】
【０００２】
現在、携帯電話やタブレットＰＣは、大きくなる一方である。画面が大きくなり閲覧しやすくなるが、片手で携帯電話又はタブレットＰＣを握って親指で操作することは、ますます難しくなり、うっかりして携帯電話又はタブレットＰＣを地面に落としてしまい、損壊を与えることがある。従来の各種の携帯電話又はタブレットＰＣケースは、保護機能、又は、電話又はタブレットＰＣを机に立てる機能のみを有し、片手のみで握って当該手の親指で便利に操作できるという問題を解決できない。
【発明の概要】
【発明が解決しようとする課題】
【０００３】
本発明の目的は、指止め輪付きの携帯電話／タブレットＰＣケースを提供し、上記問題を解決することである。即ち、本発明の新規な指止め輪付きの携帯電話／タブレットＰＣケースにより、使用者は片手の手のひらで携帯電話／タブレットＰＣを持って、その手の親指でタッチパネルを容易かつ安全に操作することができる。
【課題を解決するための手段】
【０００４】
本発明の目的は、以下の設計により実現される。
【０００５】
指止め輪付きの携帯電話／タブレットＰＣケースであって、携帯電話／タブレットＰＣを収納するケース本体を含む。ケース本体の底部には、指止め輪が設けられる。前記指止め輪には、指を通すための複数の指孔を有する。指止め輪は、回転連結具を介してケース本体の底部の外表面に連結され、回転することができる。
【０００６】
請求項２に記載の指止め輪付きの携帯電話／タブレットＰＣケースにおいて、指止め輪の一端側が短いフレキシブル線で回転連結具の近くのケースの底部に連結され、指止め輪の開が制限されることを特徴とする、指止め輪付きの携帯電話／タブレットＰＣケース。
【０００７】
前記ケース本体は、弾性材から製造される。前記指止め輪は、ケース本体の底部自身の一部である。指止め輪は、周辺の一部が底部から分離され、周辺の別部分が底部に連結される。当該回転連結具が指止め輪とケース本体との間の弾性連結部になる。
【０００８】
前記ケース本体は、剛性材から製造され、前記回転連結具は、ヒンジである。
【発明の効果】
【０００９】
使用者が指を止め輪の指孔に挿入させて手のひらと協同することにより、携帯電話／タブレットＰＣをしっかり握ることができ、親指によるタッチパネルでの操作が自由になる。
【図面の簡単な説明】
【００１０】
【図１】本発明の指止め輪付きの携帯電話／タブレットＰＣケースの斜視図である。
【図２】図１に示すケース本体の背面図であり、指止め輪が中間部分に示される。
【図２ａ】当該指止め輪が外側へ回転したことを示す。
【図２ｂ】当該指止め輪がケース本体の底部にヒンジで連結されることを示す。
【図３】ケース本体の底部に２個の指止め輪を有し、内側へ回転すると閉、外側へ回転すると開になることを示す。
【図３ａ】ケース本体の底部に２個の指止め輪を有し、内側へ回転すると開、外側へ回転すると閉になることを示す。
【図４】ケース本体の底部に１個の指止め輪を有し、輪に２列の平行する指孔を有することを示す。
【図５】指止め輪の指孔に開閉可能の弁を有することを示す。
【図５ａ】図５に示す指止め輪と指孔の弁が開になったことを示す。
【図６】指止め輪の異なる形状、及び指孔の弁の異なる形状を示す。
【図６ａ】指止め輪の異なる形状、及び指孔の弁の異なる形状を示す。
【図６ｂ】指止め輪の異なる形状、及び指孔の弁の異なる形状を示す。
【図７】指止め輪の一端側がフレキシブル線でケース本体の底部に連結され、指止め輪の開を制限する図である。
【図７ａ】指止め輪の一端側がフレキシブル線でケース本体の底部に連結され、指止め輪の開を制限する図である。
【図８】指止め輪付きの携帯電話／タブレットＰＣケースの使用模式図である。
【図８ａ】指止め輪付きの携帯電話／タブレットＰＣケースの使用模式図である。
【発明を実施するための形態】
【００１１】
図１に示す指止め輪付きの携帯電話／タブレットＰＣケースは、辺２と底部３を有するボックス（ケース本体）１と、指止め輪４からなる。携帯電話／タブレットＰＣは、辺２に包まれるようにこのボックス１に収納される。
【００１２】
図２に示すように、底部３には、指止め輪４を有する。当該輪４は、長方形であり、底部３から切り取ってできるものであり、その３本の辺が底部３から切り離され、別の１本の辺が底部３に連結する。
当該指止め輪４は、楕円形や半月形等、ほかの形状であってもよい。
当該底部３が弾性材であるため、輪４は、底部３から回転して開閉することができる。輪４にある複数の指孔５は、正方形、長方形、円形又は半円形であり、その数が１個、２個、３個又は４個である。
【００１３】
図２ａに示すように、当該指止め輪４は、回転して、開になった。
【００１４】
図２ｂに示すように、当該指止め輪４は、ヒンジ６により底部３に連結される。当該指止め輪４は、回転して開になったが、閉にすることもできる。
【００１５】
図３に示すように、底部３に２個の指止め輪４を有し、外側へ回転すると開になり、内側に回転すると閉になる。
【００１６】
図３ａに示すように、底部３に２個の指止め輪４を有し、外側へ回転すると閉になり、内側に回転すると開になる。
【００１７】
図４に示すように、底部３に１個の指止め輪４を有し、指止め輪４に２列の平行する指孔５を有する。
【００１８】
図５、５ａに示すように、指止め輪４の指孔５には、弾性弁７も有し、弁７が開閉可能である。
【００１９】
図６、６ａ、６ｂに示すように、指止め輪４の形状は、長方形、半円形又は楕円形である。指孔５は、長方形、円形又は方形である。
【００２０】
図７に示すように、指止め輪４の一端側が短いフレキシブル線９で回転連結具１０の近くのケース本体の底部３に連結され、指止め輪４の開は、角度αに制限される。指止め輪４には、一つの指孔５を有し、または有さない。指止め輪４の開には、角度α制限が設けられるため、指止め輪付きの携帯電話／タブレットＰＣケースは、携帯電話／タブレットＰＣが机の上に立つように、支持する。使用者は、指や手のひらにより携帯電話／タブレットＰＣをしっかりとつかむことができ、その手の親指でタッチパネルを自由に操作できる。
【００２１】
図７ａに示すように、指止め輪４の一端側が短いフレキシブル線９でヒンジ６の近くのケース本体の底部３に連結され、指止め輪４の開には、角度α制限が設けられる。指止め輪４には、一つの指孔５を有し、または有さない。指止め輪４の開には、角度α制限が設けられるため、指止め輪付きの携帯電話／タブレットＰＣケースは、携帯電話／タブレットＰＣが机の上に立つように、支持する。使用者は、指や手のひらにより携帯電話／タブレットＰＣをしっかりとつかむことができ、その手の親指でタッチパネルを自由に操作できる。
【００２２】
図８、８ａは、指止め輪付きの携帯電話／タブレットＰＣケースの使用模式図である。片手の指で止め輪を掴んで手のひらと協同することで携帯電話／タブレットＰＣをしっかり掴むことができ、当該手の親指によるタッチパネルの操作が自由になることが、示されている。
【００２３】
指孔５の弁７が閉になることができるため、携帯電話／タブレットＰＣをかすり傷からより効果的に保護することができる。
【図１】
2016163690.tif 000003
【図２】
2016163690.tif 000004
【図２ａ】
2016163690.tif 000005
【図２ｂ】
2016163690.tif 000006
【図３】
2016163690.tif 000007
【図３ａ】
2016163690.tif 000008
【図４】
2016163690.tif 000009
【図５】
2016163690.tif 000010
【図５ａ】
2016163690.tif 000011
【図６】
2016163690.tif 000012
【図６ａ】
2016163690.tif 000013
【図６ｂ】
2016163690.tif 000014
【図７】
2016163690.tif 000015
【図７ａ】
2016163690.tif 000016
【図８】
2016163690.tif 000017
【図８ａ】
2016163690.tif 000018
【外国語明細書】
2016163690000001.pdf